(57)【要約】【課題】光学フィルムから保護フィルムを剥離する際に発生する剥離帯電によってＴＦＴが破壊されたり、静電吸着による異物混入による不良等の不具合が生じないようにする。【解決手段】イオナイザー等の除電器４０を用いてイオンを含むガス（イオン化エア）を光学フィルム２や保護フィルム３などに吹き付ける際に、最も剥離帯電が多く発生する箇所、すなわち光学フィルム２から保護フィルム３が剥離する箇所に、イオン化エアを吹き付ける。また、その剥離箇所は所定の方向に徐々に移動するので、剥離箇所の移動に追従して所定の距離を保持しつつイオン化エアを吹き付ける。【選択図】図３
2008096530.tif 000002
【特許請求の範囲】
【請求項１】
光学フィルム保持手段に光学フィルムを保持し、
保持された光学フィルムから保護フィルムの一端を剥離し、
前記保護フィルムの一端を保持しながら移動することによって徐々に保護フィルムを剥離し、
前記剥離動作中にその剥離箇所が徐々に移動するのに伴い、その剥離箇所の移動に追従して所定の距離を保持しつつイオン化エアを吹き付けることを特徴とする光学フィルム貼付け方法。
【請求項２】
請求項１に記載の光学フィルム貼付け方法において、
さらに、表示用パネル保持手段に表示用パネルを保持し、
前記光学フィルム保持手段と前記表示用パネル保持手段とを相対的に移動しながら、前記光学フィルムを表示用パネルへ貼り付けることを特徴とする光学フィルム貼付け方法。
【請求項３】
光学フィルムを保持する光学フィルム保持手段と、
前記光学フィルム保持手段に保持された光学フィルムから保護フィルムを剥離する剥離手段と、
前記剥離手段によって前記光学フィルムから前記保護フィルムが剥離される場合に、その剥離箇所が徐々に移動するのに伴い、その剥離箇所の移動に追従して最適な距離を保持しつつイオン化エアを吹き付ける除電手段と
を備えたことを特徴とする光学フィルム貼付け装置。
【請求項４】
請求項３に記載の光学フィルム貼付け装置において、
表示用パネルを保持する表示用パネル保持手段と、
前記光学フィルム保持手段に保持された光学フィルムを前記表示用パネル保持手段に保持された表示用パネルへ貼り付ける貼付け手段とをさらに備えたことを特徴とする光学フィルム貼付け装置。
【請求項５】
請求項１若しくは２に記載の光学フィルム貼付け方法、又は請求項３若しくは４に記載の光学フィルム貼付け装置のいずれかを用いて光学フィルムを表示用パネルへ貼り付けることを特徴とする表示用パネルの製造方法。
【発明の詳細な説明】
【技術分野】
【０００１】
本発明は、液晶パネル等の表示用パネルへ偏光板や位相差板等から成る光学フィルムを貼り付ける光学フィルム貼付け方法、光学フィルム貼付け装置、及びそれらを用いた表示用パネルの製造方法に係り、特に光学フィルムから保護フィルムを剥離して、光学フィルムを表示用パネルへ貼り付けるのに好適な光学フィルム貼付け方法、光学フィルム貼付け装置、及びそれらを用いた表示用パネルの製造方法に関する。
【背景技術】
【０００２】
液晶ディスプレイ装置の製造工程では、ＴＦＴ（Ｔｈｉｎ  Ｆｉｌｍ  Ｔｒａｎｓｉｓｔｏｒ）基板とカラーフィルタ基板との間に液晶を封入して液晶パネルを構成した後、液晶パネルの表面及び裏面に偏光板の貼付けが行われる。さらに、視覚補償用の位相差板が貼り付けられる場合もある。この様な偏光板や位相差板等から成る光学フィルムの貼付けは、貼付け装置によって行われている。
【０００３】
通常、光学フィルムには、予め粘着剤が塗布され、粘着剤の上には保護フィルムが被せられている。従来の貼付け装置は、光学フィルムを吸着テーブル等により保持しながら、まず、光学フィルムから保護フィルムを剥離した後、光学フィルムを貼付けの行われる位置へ移動して、光学フィルムの表示用パネルへの貼付けを行っていた。
【０００４】
光学フィルムから保護フィルムを剥離する際に剥離帯電によって大きな電位が発生し、ＴＦＴを破壊したり、静電吸着によって異物不良等の不具合を発生させるおそれがあった。そこで、例えば、特許文献１及び特許文献２に記載の偏光板貼付け装置のように、剥離帯電による静電気の発生を抑制するようにしたものが提案されている。
【０００５】
特許文献１には、ドラムに保持された偏向板にイオンを含むガスを吹き付けるように構成されたイオナイザーが記載されている。また、特許文献２には、偏向板貼り付け時に張り付け両側ガラス基板の個々の透明電極膜（Ｉｎｄｉｕｍ−Ｔｉｎ−Ｏｘｉｄｅ：ＩＴＯ膜）のパターン電極を導電性弾性体を介して接地させることで、ＩＴＯ膜パターン間の放電を未然に防止するようにしたものが記載されている。
【特許文献１】特開平０６−１０２５０５号公報
【特許文献２】特開２００３−２２８０５７号公報
【発明の開示】
【発明が解決しようとする課題】
【０００６】
特許文献１に記載の貼付け装置では、光学フィルムから保護フィルムを剥離する工程、保護フィルムの剥離後に光学フィルムを貼付けの行われる位置へ移動する工程、及び光学フィルムを表示用パネルへの貼り付ける工程などの各工程とは無関係に所定の位置に固定的に設けられたイオナイザーを用いてドラムの所定箇所にイオンを含むガスを吹き付けるだけに過ぎない。
【０００７】
また、特許文献２に記載の貼付け装置では、導電性弾性体とパターン電極とを接地させることで放電を防止するものであるが、導電性弾性体とパターン電極との接続が不完全だった場合に除電が不十分となり、除電効果が期待できない場合があり得る。
【０００８】
本発明の目的は、上述の点に鑑み、光学フィルムから保護フィルムを剥離する際に発生する剥離帯電によってＴＦＴが破壊されたり、静電吸着による異物混入による不良等の不具合の生じることのない光学フィルム貼付け方法、光学フィルム貼付け装置、及び表示用パネルの製造方法を提供することである。
【課題を解決するための手段】
【０００９】
本発明の光学フィルム貼付け方法の第１の特徴は、光学フィルム保持手段に光学フィルムを保持し、保持された光学フィルムから保護フィルムの一端を剥離し、前記保護フィルムの一端を保持しながら移動することによって徐々に保護フィルムを剥離し、前記剥離動作中にその剥離箇所が徐々に移動するのに伴い、その剥離箇所の移動に追従して最適な距離を保持しつつイオン化エアを吹き付けることにある。これは、イオナイザー等の除電器を用いてイオンを含むガス（イオン化エア）を光学フィルムや保護フィルムなどに吹き付ける際に、最も剥離帯電が多く発生する箇所、すなわち光学フィルムから保護フィルムが剥離する箇所に、イオン化エアを吹き付けるようにしたものである。また、光学フィルムから保護フィルムを剥離する際に、その剥離箇所は所定の方向に徐々に移動するのに伴い、この発明では、剥離箇所の移動に追従して所定の距離を保持しつつイオン化エアを吹き付けるようにした。これによって、剥離帯電による静電気の発生を効率よく抑制することができ、ＴＦＴが破壊されたり、静電吸着による異物混入による不良等の不具合の生じることのない光学フィルムの貼付工程を実現することが可能となる。なお、除電器を剥離箇所の移動に追従して所定の距離を保持しつつイオン化エアを吹き付けるようにしたが、除電器から吹き出されるイオン化エアの吹き出し風量を調節することによって、所定距離を保持するのと同様の効果を与えるようにしてもよい。すなわち、除電器の構成によっては、剥離箇所の移動に追従しての移動が困難な場合に、除電器からのイオン化エアの吹き出し風量を適宜調節することによって、あたかも所定の距離を保持しつつイオン化エアを吹き付けるという状態を実現するようにしてもよい。
【００１０】
本発明の光学フィルム貼付け方法の第２の特徴は、前記第１の特徴に記載の光学フィルム貼付け方法において、さらに、表示用パネル保持手段に表示用パネルを保持し、前記光学フィルム保持手段と前記表示用パネル保持手段とを相対的に移動しながら、前記光学フィルムを表示用パネルへ貼り付けることにある。これは、光学フィルム保持手段に保持され、剥離手段によって保護フィルムの剥離された又は剥離途中の光学フィルムを表示用パネル保持手段及び貼付け手段を用いて表示用パネルに貼り付けるようにしたものである。
【００１１】
本発明の光学フィルム貼付け装置の第１の特徴は、光学フィルムを保持する光学フィルム保持手段と、前記光学フィルム保持手段に保持された光学フィルムから保護フィルムを剥離する剥離手段と、前記剥離手段によって前記光学フィルムから前記保護フィルムが剥離される場合に、その剥離箇所が徐々に移動するのに伴い、その剥離箇所の移動に追従して所定の距離を保持しつつイオン化エアを吹き付ける除電手段とを備えたことにある。これは、前記光学フィルム貼付け方法の第１の特徴を実現するための装置の発明に関するものである。
【００１２】
本発明の光学フィルム貼付け装置の第２の特徴は、前記第１の特徴に記載の光学フィルム貼付け装置において、表示用パネルを保持する表示用パネル保持手段と、前記光学フィルム保持手段に保持された光学フィルムを前記表示用パネル保持手段に保持された表示用パネルへ貼り付ける貼付け手段とをさらに備えたことにある。これは、前記光学フィルム貼付け方法の第２の特徴を実現するための装置の発明に関するものである。
【００１３】
本発明の表示パネルの製造方法の特徴は、前記第１若しくは第２の特徴に記載の光学フィルム貼付け方法、又は前記第１若しくは第２の特徴に記載の光学フィルム貼付け装置のいずれかを用いて光学フィルムを表示用パネルへ貼り付けることにある。これは、前記光学フィルム貼付け方法の第１若しくは第２の特徴に記載の方法、又は前記光学フィルム貼付け装置の第１若しくは第２の特徴に記載の装置を用いて、表示用パネルに光学フィルムを貼り付けるようにした表示パネルの製造方法に関するものである。
【発明の効果】
【００１４】
本発明によれば、光学フィルムから保護フィルムを剥離する際に発生する剥離帯電によってＴＦＴが破壊されたり、静電吸着による異物混入による不良等の不具合の生じることがなくなり、光学フィルムから保護フィルムの剥離及び光学フィルムの表示用パネルへの貼付けといった一連の工程を高品質で行なうことができるという効果がある。
【発明を実施するための最良の形態】
【００１５】
図１は、本発明の一実施の形態による偏光板貼付け装置の概略構成を示す図である。本実施の形態は、偏光板を液晶パネルへ貼り付ける偏光板貼付け装置の例を示している。偏光板貼付け装置は、液晶パネル吸着ベース１０、貼付けローラ１１、偏光板吸着ベース２０、剥離ユニット３０及び除電器４０を含んで構成されている。
【００１６】
液晶パネル吸着ベース１０は、偏光板２の液晶パネル１への貼付けが行われる位置に配設される。液晶パネル吸着ベース１０には、図示しない搬送ユニットによって、液晶パネル１が搭載されている。液晶パネル吸着ベース１０は、液晶パネル１の上面（偏光板２の貼付けが行われる面と反対の面）を真空吸着して、液晶パネル１を保持するように構成されている。液晶パネル吸着ベース１０に搭載された液晶パネル１の下方には、貼付けローラ１１が配置されている。
【００１７】
偏光板吸着ベース２０は、偏光板２を吸着保持するものである。偏光板吸着ベース２０には、図示しない搬送ユニットによって、偏光板２が搭載される。偏光板吸着ベース２０は、移動部２１と固定部２２とに分割されている。移動部２１及び固定部２２は、それぞれ複数の偏光板吸着パッド２３を有している。
【００１８】
剥離ユニット３０は、偏光板２から保護フィルム３を剥離するものである。図１の矢印は、剥離ユニット３０が偏光板２から保護フィルム３を剥離する際に保護フィルム３を剥離する方向を示している。剥離ユニット３０が偏光板２から保護フィルム３を剥離する際、固定部２２は偏光板２の左側の一部分（保護フィルム３の剥離を開始する側の端となる左側端部）の所定範囲のみを保持し、移動部２１はこの所定範囲以外の残りの大部分を保持する。移動部２１は、偏光板２を液晶パネル１へ貼り付ける際に移動するが、固定部２２は図１に示す位置に留まったままとなる。なお、この移動部２１と固定部２２との位置関係については後述する。
【００１９】
偏光板吸着ベース２０に保持された偏光板２の上方には、偏光板２から保護フィルム３を剥離する剥離ユニット３０が配置されている。剥離ユニット３０は、保護フィルム３を挟むチャックと、このチャックの近傍に設けられた粘着テープの巻回されたローラとから構成されている。
【００２０】
除電器４０は、図１に示すように、偏光板吸着ベース２０の左側端部の上部であって、剥離ユニット３０の左側に位置する空間上に配置されている。図２は、除電器の概略構成を示す図である。図２では、偏光板２と保護フィルム３に対して除電器４０がどのような位置からイオン化エアを吹き付けるのか、その様子が示されている。なお、図２では、剥離ユニット３０については図示を省略してある。図から明らかなように、除電器４０は、直方体形状をしており、円筒状のイオン化エア吹き出し口が直方体の任意面に配列されており、イオン化エア吹き出し口から除電作用のあるエアが偏光板２と保護フィルム３の丁度剥離する箇所目掛けて吹き付けるようになっている。また、この偏光板２と保護フィルム３の剥離する箇所が徐々に移動した場合、除電器４０は図示していない移動手段によって剥離箇所の移動に追従して最適な距離を保持しながら移動するように構成されている。なお、除電器４０の移動手段についてはモータなどの駆動手段を用いて構成することができる。このとき、移動手段は除電器４０の移動スピードを任意にコントロール可能とし、剥離箇所と吹き出し口との間を適正な距離に保持可能とすることが好ましい。例えば、除電器４０の動きを剥離ユニット３０の動きに連動するように構成してもよい。
【００２１】
図３及び図４は、偏光板から保護フィルムを完全に剥離する工程の一例を示す図であり、図３はこの剥離工程の前半部分を示し、図４はこの剥離工程の後半部分を示す。偏光板吸着ベース２０の移動部２１及び固定部２２は、偏光板２から保護フィルム３を剥離する際、偏光板２の下面を複数の偏光板吸着パッド２３により真空吸着する。図３（ａ）において、まず、剥離ユニット３０は、偏光板２の一端において、ローラに巻かれた粘着テープを、保護フィルム３へ接触させる。続いて、図３（ｂ）において、剥離ユニット３０は、剥離方向（図３（ｂ）に示す矢印方向）へ僅かに移動しながら、粘着テープに付着した保護フィルム３の端部を偏光板２から引き離し、引き離すと共にローラの回転により保護フィルム３の端部をチャック内に取り込むように動作する。チャック内に取り込まれた時点で保護フィルム３の端部はチャックによって挟持される。保護フィルム３がチャックに挟持された時点で除電器４０は、イオン化エアを点線矢印に示すように偏光板２における保護フィルム３の剥離箇所に吹き付ける。
【００２２】
図３（ｃ）において、剥離ユニット３０は、保護フィルム３の端部をチャックに挟持した状態で所定の高さまで剥離方向の斜め上方（図３（ｃ）の矢印に示す方向）に上昇する。このとき偏光板２における保護フィルム３の剥離箇所は図３（ｂ）及び図３（ｃ）に示すように、右方向に移動する。除電器４０は、剥離箇所の右方向の移動に追従して移動し、最適な距離を保持しながらイオン化エアを点線矢印に示すようにその剥離箇所に安定的に吹き付ける。
【００２３】
図４（ａ）において、剥離ユニット３０が、保護フィルム３の端部をチャックに挟持した状態でさらに、所定の剥離方向（図の右方向）へ所定距離だけ平行に移動することによって、偏光板２から保護フィルム３が剥離される。除電器４０は、この剥離箇所の移動に追従して、剥離方向（図の右方向）に所定距離だけ平行に移動し、最適な距離を保持しながらイオン化エアを点線矢印に示すようにその剥離箇所に安定的に吹き付ける。
【００２４】
図４（ｂ）おいて、剥離ユニット３０は、偏光板２から剥離された保護フィルム３を保持したままの状態で、偏光板吸着ベースの移動部２１の近傍に設置した収納トレイ５０に保護フィルム３が収納されるまで、図の右方向へ移動する。図４（ｂ）のように、剥離ユニット３０が収納トレイ５０の右端に到達した時点で、今度は除電器４０が図の右方向へ移動し、收納トレイ５０の最上部にある保護フィルム３にイオン化エアを吹き付けながら、除電器３０を剥離ユニット３０のチャック付近まで移動し、図４（ｃ）のように、保護フィルム３を收納トレイ５０に押し込むようにする。これによって、保護フィルム３を收納トレイ５０の所定の箇所に押し込み、整然と收納させることができる。
【００２５】
この様に、保護フィルム３を偏光板２から完全に引き離して剥離した場合、剥離後の偏光板２を液晶パネル１に貼り付ける際には、偏光板吸着ベースの移動部２１の吸着パッド２３により偏光板を吸着した状態で液晶パネルへの貼付け工程を行なう。ただし、この貼付け工程時にはその吸着力は弱めにしておくことが好ましい。
【００２６】
図５は、偏光板から保護フィルムの一部を剥離する工程の一例を示す図であり、図１、図３、図４の実施の形態と異なるのは、移動部２１には、固定部２２から離れた位置であって偏光板２の搭載されない位置（図の右側端部）に、保護フィルム吸着パッド２４を有している点である。偏光板吸着ベース２０の移動部２１及び固定部２２は、偏光板２から保護フィルム３を剥離する際、偏光板２の下面を複数の偏光板吸着パッド２３により真空吸着する。図５（ａ）において、まず、剥離ユニット３０は、偏光板２の一端において、ローラに巻かれた粘着テープを、保護フィルム３へ接触させる。続いて、図５（ｂ）において、剥離ユニット３０は、剥離方向（図５（ｂ）に示す矢印方向）へ僅かに移動しながら、粘着テープに付着した保護フィルム３の端部を偏光板２から引き離し、引き離すと共にローラの回転により保護フィルム３の端部をチャック内に取り込むように動作する。チャック内に取り込まれた時点で保護フィルム３の端部はチャックによって挟持される。保護フィルム３がチャックに挟持された時点で除電器４０はイオン化エアを点線矢印に示すように偏光板２における保護フィルム３の剥離箇所に吹き付ける。
【００２７】
図５（ｃ）において、剥離ユニット３０は、保護フィルム３の端部をチャックに挟持した状態で所定の高さまで剥離方向の斜め上方（図５（ｃ）の矢印に示す方向）に上昇する。このとき偏光板２における保護フィルム３の剥離箇所は図５（ｂ）及び図５（ｃ）に示すように、右方向に移動する。除電器４０は、剥離箇所の右方向の移動に追従して移動し、最適な距離を保持しながらイオン化エアを点線矢印に示すように剥離箇所に安定的に吹き付ける。
【００２８】
図５（ｄ）において、剥離ユニット３０が、保護フィルム３の端部をチャックに挟持した状態でさらに、所定の剥離方向（図の右方向）へ所定距離だけ平行に移動することによって、偏光板２から保護フィルム３が剥離される。この剥離箇所の移動に追従して、除電器４０を剥離方向に所定距離だけ平行に移動する。
【００２９】
図５（ｅ）おいて、剥離ユニット３０は、垂直（図中の矢印に示す方向）に下降し、保護フィルム３の剥離した部分を保護フィルム吸着パッド２４に搭載し、保護フィルム３の折り返された状態にする。保護フィルム吸着パッド２４は、保護フィルム３の剥離ユニット３０により剥離された一端を、真空吸着して保持する。
【００３０】
この様に、保護フィルム３を偏光板２から引き離して剥離する場合、剥離開始時は、偏光板２に掛かる応力が急激に変化する。本実施の形態では、保護フィルム３の剥離を開始する側の端を固定部２２の偏光板吸着パッド２３により真空吸着しているので、保護フィルム２の剥離開始時に、偏光板２に掛かる応力が急激に変化しても、偏光板２の端が歪むことなく平坦に保持される。固定部２２は、剥離ユニット３０が偏光板２から保護フィルム３を途中まで剥離した後、固定部２２に配設されている偏光板吸着パッド２３による真空吸着を解除する。
【００３１】
図６は、図５に示すように保護フィルムの一部が剥離された偏光板を液晶パネルへ貼付ける工程の一例を示す図である。図５（ｅ）に示すように、保護フィルム吸着パッド２４が保護フィルム３の一端部を真空吸着保持すると共に固定部２２の偏光板吸着パッド２３が真空吸着を解除した時点で、剥離ユニット３０及び除電器４０は、図示しない移動機構により貼付け工程に干渉しない位置に移動する。その後、移動部２１は、図６（ａ）に示す様に偏光板２を保持したまま、図示しない移動機構により、偏光板２の液晶パネル１への貼付けを行う位置へ移動する。この移動の途中又は貼付けを行う位置において、移動部２１は、図示しない回転機構により、図６（ｂ）に示す様に所定の角度に傾けられる。
【００３２】
貼付けを行う位置には、液晶パネル１が液晶パネル吸着ベース１０により保持されており、その下方には貼付けローラ１１が配置されている。貼付けを行う位置において、移動部２１は、所定の角度傾いた状態で、図示しない移動機構により上昇される。このとき、貼付けローラ１１も、図示しない移動機構により移動部２１と一緒に上昇される。移動部２１及び貼付けローラ１１の上昇により、図６（ｂ）に示す様に、移動部２１に保持された偏光板２の一端が、貼付けローラ１１によって液晶パネル１に押し付けられる。
【００３３】
移動部２１は、偏光板２の一端が貼付けローラ１１によって液晶パネル１に押し付けられた後、移動部２１に配設されている偏光板吸着パッド２３による真空吸着を解除する。偏光板吸着パッド２３による真空吸着を解除しても、保護フィルム３の一端部が保護フィルム吸着パッド２４に真空吸着されているので、偏光板２は保護フィルム３により押さえられているので、偏光板２は移動部２１に平坦に保持された状態を維持する。
【００３４】
図６（ｂ）に示すように、偏光板２の一端を液晶パネル１に押し付けられた状態で、液晶パネル吸着ベース１０の側面、及び移動部２１の側面部に除電器４１，４２が配置される。図７は、除電器４１，４２の配置された状態を示す図であり、図６（ｂ）の左側から見た図である。図７に示すように、除電器４１，４２は、液晶パネル吸着ベース１０の側面近傍であって、移動部２１の側面上部側に配置され、最適な距離を保持しながらイオン化エアが点線矢印に示すように剥離箇所に安定的に吹き付けられるようになっている。なお、除電器４１，４２は、図示しない移動機構によって移動制御される。
【００３５】
図６（ｃ）に示す様に、図示しない移動機構によって液晶パネル吸着ベース１０が矢印の方向へ移動する。このとき、偏光板２の貼付けローラ１１によって液晶パネル１に押し付けられた部分は、予め塗布されている粘着剤によって液晶パネル１に付着し、偏光板２は液晶パネル１の移動に追従して移動する。図６（ｂ）〜図６（ｄ）に示す様に、液晶パネル吸着ベース１０が移動することによって、貼付けローラ１１よって液晶パネル１に押し付けられている偏光板２は、その一端部から他端部に向かって順次液晶パネル１へ貼り付けられる。
【００３６】
すなわち、図５（ｅ）の状態で、偏光板２から剥離せずに残った保護フィルム３は、液晶パネル吸着ベース１０と共に移動する偏光板２の移動に伴い、偏光板２から順次剥離される。このとき、除電器４１，４２は、この剥離箇所の移動（液晶パネル吸着ベース１０の移動方向）に追従して移動し、剥離箇所に対して最適な距離を保持しながら斜め上方からイオン化エアを点線矢印に示すように、安定的に吹き付けている。図６（ｄ）に示す様に、偏光板２から保護フィルム３が完全に剥離される直前まで、偏光板２は保護フィルム３により引っ張られて押さえられている状態にあるので、偏光板２のそりは矯正され、液晶パネル１と偏光板２との間に空気が入り込むのが抑制される。そして、偏光板２から保護フィルム３が完全に剥離されると、保護フィルム３は、図６（ｅ）に示す様に、移動部２１の上に搭載された状態となる。その後、移動部２１は、図６（ｅ）に示す様に保護フィルム３を搭載したまま、図示しない移動機構により、保護フィルム３の排出機構へ移動する。
【００３７】
上述の実施の形態では、偏光板を液晶パネルへ貼付ける工程で剥離ユニット３０及び除電器４０を貼付け工程に干渉しない位置に移動し、除電器４１，４２を液晶パネル吸着ベース１０、貼付けローラ１１及び移動部２１の側面方向に配設し、剥離箇所の移動に従って斜め前方からイオン化エアを吹き付ける場合について説明したが、イオン化エアの吹き付け方向は、液晶パネル１（液晶パネル吸着ベース１０）の移動方向を直交する方向などから供給するようにしてもよい。
【００３８】
また、イオン化エアを剥離箇所に吹き付ける場合、除電器４０、又は除電器４１，４２からのエアの吹き出し量は剥離帯電による静電気の発生を抑制する程度のものでよいが、この吹き出し量を適宜調整することによって、偏光板２から保護フィルム３が剥離される際の剥離を促す程度の比較的大きな吹き出し量でイオン化エアを剥離面に吹き付けるようにしてもよい。
【００３９】
なお、本実施の形態では、液晶パネル吸着ベース１０を移動する場合について説明したが、偏光板吸着ベースの移動部２１を移動してもよいし、また両者を同時に移動してもよく、液晶パネル吸着ベース１０と偏光板吸着ベースの移動部２１とが相対的に移動すればよい。その場合は、貼付けローラ１１も、移動部２１に併せて移動するようになる。
【００４０】
以上説明した実施の形態によれば、偏光板吸着パッド２３及び保護フィルム吸着パッド２４を偏光板吸着ベースの移動部２１に設け、偏光板２から保護フィルム３を途中まで剥離する際、偏光板２を偏光板吸着パッド２３により真空吸着し、保護フィルム３の剥離した部分を折り返して保護フィルム吸着パッド２４に搭載し、偏光板２を液晶パネル１へ貼り付ける際、偏光板吸着パッド２３の真空吸着を解除することにより、偏光板２を移動部２１に平坦に保持しながら、液晶パネル１へ貼り付けられる偏光板２が偏光板吸着パッド２３の真空吸着による抵抗を受けて歪むのを防止することができる。
【００４１】
本発明は、偏光板の液晶パネルへの貼付けに限らず、保護フィルムを有する光学フィルムの表示用パネルへの貼付けに広く適用することができる。
【００４２】
本発明の光学フィルム貼付け装置又は光学フィルム貼付け方法を用いて、光学フィルムを表示用パネルへ貼り付けることにより、光学フィルムから保護フィルムを剥離する際に発生する剥離帯電によってＴＦＴが破壊されたり、静電吸着による異物混入による不良等の不具合の生じることを抑制することができるので、高品質な表示用パネルを製造することができる。
【図面の簡単な説明】
【００４３】
【図１】本発明の一実施の形態による偏光板貼付け装置の概略構成を示す図である。
【図２】除電器の概略構成を示す図である。
【図３】偏光板から保護フィルムを完全に剥離する工程の前半部分を示す図である。
【図４】偏光板から保護フィルムを完全に剥離する工程の後半部分を示す図である。
【図５】偏光板から保護フィルムの一部を剥離する工程の一例を示す図である。
【図６】図５に示すように保護フィルムの一部が剥離された偏光板を液晶パネルへ貼付ける工程の一例を示す図である。
【図７】除電器の配置された状態を示す図であり、図６（ｂ）の左側から見た図である。
【符号の説明】
【００４４】
１  液晶パネル
２  偏光板
３  保護フィルム
１０  液晶パネル吸着ベース
１１  貼付けローラ
２１  偏光板吸着ベースの移動部
２２  偏光板吸着ベースの固定部
２３  偏光板吸着パッド
２４  保護フィルム吸着パッド
３０  剥離ユニット
４０，４１，４２  除電器
５０  収納トレイ
【図１】
2008096530.tif 000003
【図２】
2008096530.tif 000004
【図３】
2008096530.tif 000005
【図４】
2008096530.tif 000006
【図５】
2008096530.tif 000007
【図６】
2008096530.tif 000008
【図７】
2008096530.tif 000009